(57)【要約】【課題】従来の魚釣り用リールのハンドルアームをナットによって固定するものは、釣場所や魚の種類に応じて「あらかじめ」伸縮自在のハンドルの長さを決めて固定しておくものが主体である。本発明は釣りをしている途中において大きな魚が掛かったときにハンドルを長くして巻き上げ力を大きくし、小さい魚が掛かったとき等では糸巻きを早くすることが自在に変更できるリールを提供する。【解決手段】リール本体に回転可能に支持したハンドル装置は、前記ハンドル軸の非円形部がハンドルアームのアーム長さ方向に形成した長孔に回転阻止状態で移動自在に嵌まり、釣り人の指が個々に嵌り係る複数の指掛け部を半径方向に形成しハンドルアームのハンドル摘みと同じ側においてハンドルアームを手動にて締め付けと緩め操作が自在なるナット部材によって、ハンドル軸に対するハンドルアームのアーム長さを随時変更可能とするものである。【選択図】　　図１
2004135624.tif 000002
【特許請求の範囲】
【請求項１】
リール本体に回転可能に支持したハンドル装置の回転に基づき竿先側からスプールに釣り糸を巻き取る形態であって、前記ハンドル装置は、前記リール本体の一側に突出したハンドル軸に取り付けられたハンドルアームと、前記ハンドル軸に平行な軸線を中心として回転するよう前記ハンドルアームの一側に取り付けられたハンドル摘みと、前記ハンドルアームを前記ハンドル軸に締め付け及び緩め操作を行うナット部材を備え、前記ハンドルアームはそのアーム長さ方向に前記ハンドル軸と回転阻止状態で移動自在に嵌まり合う直線状長孔を形成し、前記ナット部材は、前記ハンドルアームの前記ハンドル摘みと同じ側において手動にて締め付けと緩め操作が自在なるよう釣り人の指が個々に嵌り係る複数の指掛け部を半径方向に形成して前記ハンドル軸のネジ部と螺合し、前記スプールに釣り糸を巻き取る操作状態において前記ハンドル軸に対する前記ハンドルアームの固定位置を前記ナット部材の手動による緩めと締め付け操作によって随時変更可能とする魚釣り用リール。
【発明の詳細な説明】
【０００１】
【発明の属する技術分野】
本発明は、魚釣り用リールに関し、特に、スプールに釣り糸を巻き取るために回転されるハンドル装置のハンドルアームの長さを随時変更可能な魚釣り用リールに関する。
【０００２】
【従来の技術】
これまでに、スプールに釣り糸を巻き取るために回転されるハンドル装置のハンドルアームの長さを調節することができる魚釣り用リールが開示されている。その一つとして、回転トルク及び回転速度等の調節のために、軸芯に螺子穴を設けた駆動軸の先端切欠部に嵌合する２個の切欠孔をハンドル板に並設し、この切欠孔間にハンドル板固定螺子杆が通過し得る幅の連通孔を穿設すると共に、この連通孔の一つに固定螺子杆の回り止め螺子を植設したものがある（特許文献１参照）。
【０００３】
また、ハンドルアームの長さ調整をするために、スプールに回転を伝達する連絡部材の鞘筒部に套管を摺動自在に挿通し、套管内にハンドル杆を摺動自在に挿通し、套管に対してハンドル杆を摺動させてハンドルの長さを変更し、この変更に対するバランスをとるために鞘筒部に対して套管を摺動させて套管の一端に取り付けたバランスウェイトの位置を調節する。そして、鞘筒部を貫通して套管に形成した複数の孔又は長孔を通した螺子の先端がハンドル杆に形成した溝を押し付けることによって、鞘筒部に套管とハンドル杆が固定される構成のものがある（特許文献２参照）。
【０００４】
また、特許文献２の欠点を改良するためとして、操作レバーを操作してハンドルを逆回転してねじ体を緩めてハンドルの長さを変更し、操作レバーを戻してハンドルを正回転してねじ体を締めてハンドルを固定するものがある（特許文献３参照）。
【０００５】
【特許文献１】
実開昭５６−５５３８０号公報（第２頁〜第３頁、図３〜図４）。
【特許文献２】
実公昭５１−３１３４９号公報（第１頁、図１〜図４）。
【特許文献３】
実公平３−１０８６０号公報（第２頁〜第３頁、図１〜図２）。
【０００６】
【発明が解決しようとする課題】
特許文献１のものは、その構成からしてハンドル板を駆動軸に固く固定するためには、ハンドル板固定螺子杆と回り止め螺子を工具によって締め付ける必要がある。そして、ハンドル板は、「あらかじめ」２個の切欠孔の何れか一方の位置で固定螺子杆と回り止め螺子によって固定されるものであり、釣りをしている途中において大きな魚が掛かったときにハンドルの長さを長くして巻き上げ力を大きくするとか、小さい魚が掛かったときや空の状態で釣り糸をスプールへ巻き取る場合に糸巻きを早くするためにハンドルの長さを短くするとかを、その時々に応じて自在に変更するための構成ではない。
【０００７】
特許文献２のものは、図示の構成からすれば、ハンドルの固定をする螺子は、その大きさと配置場所からして、工具によって締め付けることが窺える。そして、その公報の第１頁左欄３５行目以降に記載されているように、釣場所や魚の種類に応じて「あらかじめ」伸縮自在のハンドルの長さを決めて固定しておくものであり、釣りをしている途中において大きな魚が掛かったときにハンドルの長さを長くして巻き上げ力を大きくするとか、小さい魚が掛かったときや空の状態で釣り糸をスプールへ巻き取る場合に糸巻きを早くするためにハンドルの長さを短くする操作を、その時々に応じて自在に変更するための構成ではない。
【０００８】
また特許文献３のものは、特許文献１及び２のように、ナットを締めたり緩めたりの操作によってハンドルをハンドル軸に固定したりハンドルの長さを調節するものではなく、移動レバーを操作してハンドルのロックを外した後、ハンドルの回転操作によってハンドルの長さを調節する方式であり、特許文献１及び２のものに比して操作は容易となるが、構造が複雑化する問題がある。
【０００９】
本発明は、これらの点に鑑みて、釣りをしている途中において大きな魚が掛かったときにハンドルの長さを長くして巻き上げ力を大きくするとか、小さい魚が掛かったときや空の状態で釣り糸をスプールへ巻き取る場合に糸巻きを早くするためにハンドルの長さを短くするとかを、その時々に応じて自在に変更するための簡単な構成を提供するものである。
【００１０】
【課題を解決するための手段】
本発明の魚釣り用リールは、リール本体に回転可能に支持したハンドル装置の回転に基づき竿先側からスプールに釣り糸を巻き取る形態であって、前記ハンドル装置は、前記リール本体の一側に突出したハンドル軸に取り付けられたハンドルアームと、前記ハンドル軸に平行な軸線を中心として回転するよう前記ハンドルアームの一側に取り付けられたハンドル摘みと、前記ハンドルアームを前記ハンドル軸に締め付け及び緩め操作を行うナット部材を備え、前記ハンドルアームはそのアーム長さ方向に前記ハンドル軸と回転阻止状態で移動自在に嵌まり合う直線状長孔を形成し、前記ナット部材は、前記ハンドルアームの前記ハンドル摘みと同じ側において手動にて締め付けと緩め操作が自在なるよう釣り人の指が個々に嵌り係る複数の指掛け部を半径方向に形成して前記ハンドル軸のネジ部と螺合し、前記スプールに釣り糸を巻き取る操作状態において前記ハンドル軸に対する前記ハンドルアームの固定位置を前記ナット部材の手動による緩めと締め付け操作によって随時変更可能とするものである。
【００１１】
これによって、スプールに釣り糸を巻き取る操作状態において、ハンドル軸に対するハンドルアームのアーム長さをナット部材の緩めと締め付け操作によって随時変更可能であるため、釣り糸を巻き取り状態に適したアーム長さに随時変更することができる。
【００１２】
【発明の実施の形態】
図１乃至図３は本発明の魚釣り用リールの実施形態を示しており、図１は本発明のハンドル装置の構成を示す正面図、図２は本発明のハンドル装置の側面図、図３は本発明のハンドル装置の他の実施形態を示す斜視図である。
【００１３】
以下、本発明の実施形態を図に基づき説明する。図１及び図２に基づいて本発明を説明する。両軸受けタイプのリール本体１０のセンターに回転自在に取り付けたスプール軸１１には、釣り糸を巻き取るスプール１２が取り付けられている。スプール１２を回転させて竿先側から釣り糸を巻きとる操作を行うためのハンドル装置２０が、スプール軸１１と平行にリール本体１０に支持したハンドル軸１３に取り付けられている。ハンドル軸１３はその両端部が軸受け１４によってスプール軸１１と平行位置でリール本体１０に回転自在に支持されている。
【００１４】
ハンドル装置２０は、リール本体１０の一側に突出したハンドル軸１３の端部に取り付けられたハンドルアーム２１と、ハンドル軸１３に平行な軸線２２を中心として回転するようハンドルアーム２１の一側端部に取り付けられたハンドル摘み２３と、ハンドルアーム２１をハンドル軸１３の端部に締め付けるナット部材２６とを備えている。ハンドルアーム２１はそのアーム長さ方向にハンドル軸１３端部の非円形部２４に回転阻止状態で移動自在に嵌り合う直線状長孔２５を形成している。非円形部２４は、その外径部にナット部材２６のネジ部２７が螺合するネジ部２８を形成し、左右両側がハンドル軸１３の軸心から等距離の位置で平行に切り欠かれて幅Ｔ１の嵌合部を形成している。この非円形部２４の幅Ｔ１は、ハンドルアーム２１の長孔２５の幅Ｔ２よりも僅かに小さい寸法であり、非円形部２４とハンドルアーム２１の長孔２５との嵌合関係は、ハンドルアーム２１が回転阻止状態で移動自在に嵌まり合う寸法である。
【００１５】
ハンドル摘み２３は、ハンドル軸１３に平行な軸線２２を中心として回転するようハンドルアーム２１の一側端部に回転自在に取り付けられたハンドル摘み軸２９に固定されている。ハンドル摘み２３は、釣り人が掌でハンドル摘み２３を包むように握った状態で回したとき、ハンドルアーム２１に釣り人の指が当たらないように、ハンドルアーム２１とは間隔Ｔ３を保っている。
【００１６】
ナット部材２６は、釣り人の指が個々に嵌り係る複数の指掛け部２６Ａを半径方向に形成し、ハンドルアーム２１のハンドル摘み２３と同じ側（図１では右側）においてハンドルアーム２１を手動にて締め付けと緩め操作が自在である。このため、図１には５個の指掛け部２６Ａが７２°の間隔でもって半径方向に延びたスターホイール型をなし、指掛け部２６Ａは、図２に示すようにハンドルアーム２１の幅からはみ出る半径上まで延びている。指掛け部２６Ａの基部には、ナット部材２６を締め付けたときハンドルアーム２１の外側面に当接する締め付け部２６Ｂを円形状に形成している。
【００１７】
指掛け部２６Ａ相互間に釣り人の指が一つずつ緩く嵌り込んで回す方向の指掛け部２６Ａに釣り人の指が係る構成であり、図２には、釣り人が人差し指３０、中指３１及び親指３２によって回す場合の一例を示している。釣り人の指を傷めないように指掛け部２６Ａの外面は曲面をなしている。また、円形状の締め付け部２６Ｂによって、ハンドルアーム２１を広く面で押圧してハンドルアーム２１をハンドル軸１３の段部１３Ａに均一に押圧し保持できる。
【００１８】
ナット部材２６を工具を使わずに手動で締め付けてハンドルアーム２１をハンドル軸１３に固定した状態において、ハンドル装置２０を図２で時計方向へ回転することによってハンドル軸１３が回転し、リール本体１０内に設けたワンウェイクラッチ機構とドラッグ機構を介してリール本体１０内のメインギアが回転し、このメインギアと噛み合うピニオンギアの回転によってスプール軸１１とスプール１２が回転して釣り糸を巻き取る。釣り糸巻き取り時にナット部材が緩まないように、釣り糸巻き取り時のハンドルアーム２１の回転によってナット部材２６が締まる方向にハンドル軸とナット部材とのネジ部が形成されている。
【００１９】
仕掛けを投げて釣りをしているときは、前記ワンウェイクラッチ機構によってハンドル軸１３の逆転が阻止されている。この状態において、魚が仕掛けにかかった場合、その魚が引く力が釣り糸を通してスプール１２に伝達される。この場合、魚が引く力が前記ドラッグ機構によって設定した抵抗力よりも小さい場合はスプール１２が回転せず、釣り糸がスプール１２から繰り出されることはない。しかし、魚による引きが強く前記ドラッグ機構によって設定した抵抗力を上回る場合は、前記ドラッグ機構部での滑りによってスプール１２が回転するため、スプール１２からの釣り糸の繰り出しが行われる。このような機構は従来から公知のものである。
【００２０】
本発明では、スプール１２に釣り糸を巻き取る操作状態において、ハンドル軸１３に対するハンドルアーム２１のアーム長さをナット部材２６の手動による緩めと締め付け操作によって随時変更可能とし、釣り糸の巻き取り状態に適したアーム長さに随時変更することができるような構成をなす点に特徴を有する。このため、スプール１２に釣り糸を巻き取る操作状態において、締め付けられた状態のナット部材２６を釣り人がハンドル摘み２３を操作し易いように、ハンドルアーム２１のハンドル摘み２３と同じ側（図１では右側）にナット部材２６を配置し、釣り人は指を指掛け部２６Ａ相互間に嵌めかけて工具なしに手動にてナット部材２６を緩めることができる。また、締め付けられた状態のナット部材２６は、釣り人がハンドル摘み２３を操作する手と同じ手によって操作できるため、操作性が向上する。
【００２１】
ナット部材２６を工具なしに手動にて緩めることによって、ハンドルアーム２１はハンドル軸１３との固定が解かれ、ハンドル軸１３の非円形部２４がハンドルアーム２１の長孔２５に嵌った状態でスライドさせることができ、任意の位置でナット部材２６を締めることによって、ハンドルアーム２１はハンドル軸１３に固定される。そして、ハンドル軸１３の非円形部２４に対するハンドルアーム２１の移動は、直線状長孔２５に沿って行われるため、操作がし易い。
【００２２】
このように、工具なしに自由にハンドル軸１３に対するハンドルアーム２１の作用長さＴ４を変更できるため、釣りをしている途中において大きな魚が掛かったときにハンドルの長さを長くして巻き上げ力を大きくするとか、小さい魚が掛かったときや空の状態で釣り糸をスプールへ巻き取る場合に糸巻きを早くするためにハンドルの長さを短くするとかの操作を、その時々に応じて自在に変更する事ができる。そして、構造も極めて簡単な構成である。
【００２３】
図３には、本発明の他の実施形態を示している。図１及び図２と同符合の部分は同一部分又は同一機能部分であるため、上記の説明を援用することとする。図１及び図２と異なるところは、ナット部材２６の構成とそれに螺合するハンドル軸１３の非円形部２４の構成である。即ち、ナット部材２６は、釣り人の指が個々に嵌り係る複数の指掛け部２６Ａを外周に形成し、ハンドルアーム２１のハンドル摘み２３と同じ側（図１の右側）においてハンドルアーム２１を手動にて締め付けと緩め操作が自在なるものであり、このため、表側には４個の指掛け部２６Ａが９０°間隔でもって半径方向に延びたスターホイール型をなし、指掛け部２６Ａはハンドルアーム２１の幅からはみ出る半径上に延びている。そして、指掛け部２６Ａの基部はナット部材２６を締め付けたときハンドルアーム２１の外側面に当接する締め付け部２６Ｂを円形状に形成している。そして、ナット部材２６の裏側には、ハンドル軸１３端部の非円形部２４の中心部に形成した円形のネジ孔部２８Ａに螺合するネジ部２７Ａを外周に形成したネジ軸２６Ｃを突出している。
【００２４】
上記同様に、ハンドルアーム２１の長孔２５はハンドル軸１３の非円形部２４に回転阻止状態で移動自在に嵌り合う寸法関係である。即ち、非円形部２４は、左右両側がハンドル軸１３の軸心から等距離の位置で平行に切り欠かれて幅Ｔ１の嵌合部を形成し、非円形部２４の嵌合部幅Ｔ１は、ハンドルアーム２１の長孔２５の幅Ｔ２よりも僅かに小さい寸法であり、非円形部２４とハンドルアーム２１の長孔２５との嵌合関係は、ハンドルアーム２１が回転阻止状態で移動自在に嵌まり合う寸法である。また非円形部２４の高さはハンドルアーム２１の厚さよりも若干小さい。釣り糸巻き取り時にナット部材が緩まないように、釣り糸巻き取り時のハンドルアーム２１の回転によってナット部材２６が締まる方向にハンドル軸のネジ部２８Ａとナット部材とのネジ部２７Ａが形成されている。
【００２５】
ナット部材２６は、指掛け部２６Ａ相互間に釣り人の指が一つずつ緩く嵌り込んで回す方向の指掛け部２６Ａに釣り人の指が係る構成であり、例えば、図２のように釣り人が人差し指、中指及び親指をそれぞれ個々に指掛け部２６Ａ相互間に緩く嵌めて回すことができる。釣り人の指を傷めないように指掛け部２６Ａの外面は曲面をなしている。また、円形状の締め付け部２６Ｂによって、ハンドルアーム２１を広く面で押圧してハンドルアーム２１をハンドル軸１３の段部１３Ａに均一に押圧し保持できる構成である。
【００２６】
この構成において、スプール１２に釣り糸を巻き取る操作状態において、ナット部材２６を緩めることによって、ハンドルアーム２１はハンドル軸１３との固定が解かれ、ハンドル軸１３の非円形部２４がハンドルアーム２１の長孔２５に嵌った状態でスライドさせることができ、任意の位置でナット部材２６を締めることによって、ハンドルアーム２１はハンドル軸１３に固定される。ナット部材２６は、締め付けられた状態のナット部材２６を釣り人が操作し易いように、ハンドルアーム２１のハンドル摘み２３と同じ側（図１の右側）に配置し、釣り人は指を指掛け部２６Ａ相互間に嵌めかけて工具なしにナット部材２６を緩めることができる。
【００２７】
このように、工具なしに自由にハンドル軸１３に対するハンドルアーム２１の作用長さＴ４を変更できるため、釣りをしている途中において大きな魚が掛かったときにハンドルの長さを長くして巻き上げ力を大きくするとか、小さい魚が掛かったときや空の状態で釣り糸をスプールへ巻き取る場合に糸巻きを早くするためにハンドルの長さを短くするとかの操作を、その時々に応じて自在に変更する事ができる。そして、構造も極めて簡単な構成である。
【００２８】
本発明は上記実施形態の両軸受けタイプのリールに限定されるものではなく、その他のタイプのリールにも適用可能であり、特許請求の範囲を逸脱しない範囲における種種の実施形態を包含するものである。
【００２９】
【発明の効果】
本発明によれば、締め付けられた状態のナット部材を釣り人が操作し易いように、ハンドルアームのハンドル摘みと同じ側（図１では右側）にナット部材を配置し、釣り人は指を指掛け部相互間に嵌めかけて工具なしに緩めと締め付けを行うことができる。このため、釣りをしている途中において大きな魚が掛かったときにハンドルの長さを長くして巻き上げ力を大きくするとか、小さい魚が掛かったときや空の状態で釣り糸をスプールへ巻き取る場合に糸巻きを早くするためにハンドルの長さを短くするとかの操作を、その時々に応じて自在に変更する事ができる。そして、構造も極めて簡単な構成である。
【図面の簡単な説明】
【図１】本発明のハンドル装置の構成を示す正面図である。
【図２】本発明のハンドル装置の側面図である。
【図３】本発明ハンドル装置の他の実施形態を示す斜視図である。
【符号の説明】
１……魚釣り用リール
１０……リール本体
１１……スプール軸
１２……スプール
１３……ハンドル軸
２０……ハンドル装置
２１……ハンドルアーム
２３……ハンドル摘み
２４……ハンドル軸の非円形部
２５……長孔
２６……ナット部材
２６Ａ……指掛け部
２６ｂ……締め付け部
２９……ハンドル摘み軸
【図１】
2004135624.tif 000003
【図２】
2004135624.tif 000004
【図３】
2004135624.tif 000005